(57)【要約】【課題】屋内に設ける必要がないため、屋内空間を占用せず、日本の乾燥した冬期の暖房時における加湿手段としても能力が十分である加湿器を提供する。【解決手段】床部１ａに吊り下げられるケーシング７と、ケーシング７の上面に設けられたガラリ１３を有する給気口８と、ケーシング７の側面に設けられた通気部としてのスリット１０，・・・と、ケーシング７の内部に設けられた吸水性を有するフィルター１１，１１と、ケーシング７の内部に設けられた給水タンク１２とを備えている。【選択図】図２
2009264700.tif 000002
【特許請求の範囲】
【請求項１】
建物の床下空間に設置される加湿器であって、
前記建物の床下に床と接して設けられるケーシングと、該ケーシングの上面に設けられた給気部と、前記ケーシングに設けられた通気部とを備えていることを特徴とする加湿器。
【請求項２】
前記ケーシングの内部に設けられた吸水性を有するフィルターと、前記ケーシングの内部に設けられた給水タンクとを備えていることを特徴とする請求項１に記載の加湿器。
【請求項３】
前記給気部に、ガラリが設けられていることを特徴とする請求項１又は２に記載の加湿器。
【請求項４】
前記通気部の近傍位置に、給気用のファンが設けられていることを特徴とする請求項１乃至３のいずれか一項に記載の加湿器。
【請求項５】
前記ケーシングの内部における前記給気部の近傍位置に、給気用のファンが設けられていることを特徴とする請求項１乃至４のいずれか一項に記載の加湿器。
【請求項６】
前記ケーシングの上面に、前記給水タンクを出し入れ可能とする蓋が設けられていることを特徴とする請求項２に記載の加湿器。
【請求項７】
請求項１乃至６のいずれか一項に記載の加湿器を備えていることを特徴とする加湿システム。
【請求項８】
建物の最下階の床下空間に設置された床下暖房装置と、請求項７に記載の加湿システムを備えていることを特徴とする床下暖房システム。
【請求項９】
前記建物の屋内空間から前記床下空間へ暖気を排気する排気部を有することを特徴とする請求項８に記載の床下暖房システム。
【請求項１０】
前記床下空間は、床と底盤コンクリートと側壁コンクリートとに囲まれているとともに、前記側壁コンクリートには断熱材が取り付けられていることを特徴とする請求項８又は９に記載の床下暖房システム。
【請求項１１】
請求項８乃至１０のいずれか一項に記載の床下暖房システムを備えていることを特徴とする建物。
【発明の詳細な説明】
【技術分野】
【０００１】
本発明は、建物の床下空間に設置される加湿器、同加湿器を備えた加湿システム、同加湿システムを備えた床下暖房システム及び同床下暖房システムを備えた建物に関するものである。
【背景技術】
【０００２】
従来から、日本の冬期は、空気が乾燥しており、特に暖房時にはさらに空気が乾燥するので、喉を痛めたり、肌が乾燥したりするのを防止するために、加湿器が使用されている。
【０００３】
しかしながら、通常、加湿器は、屋内に設置されるので、屋内空間を占用し、邪魔である。
【０００４】
こうしたことから、建物の床下空間内に、水蒸気を含んだ木炭粒などの調湿材を敷設して加湿させる従来技術などがある（特許文献１等を参照）。
【特許文献１】特開２００５−２４１２２８号公報
【発明の開示】
【発明が解決しようとする課題】
【０００５】
しかしながら、特許文献１のような従来技術では、木炭粒などの調湿材の含有する水分量しか加湿に利用できないので、日本の乾燥した冬期の暖房時における加湿手段としては能力が不足しているという問題があった。
【０００６】
そこで、本発明は、屋内に設ける必要がないため、屋内空間を占用せず、日本の乾燥した冬期の暖房時における加湿手段としても能力が十分である加湿器、同加湿器を備えた加湿システム、同加湿システムを備えた床下暖房システム及び同床下暖房システムを備えた建物を提供することを目的としている。
【課題を解決するための手段】
【０００７】
前記目的を達成するために、本発明の加湿器は、建物の床下空間に設置される加湿器であって、前記建物の床下に床と接して設けられるケーシングと、該ケーシングの上面に設けられた給気部と、前記ケーシングに設けられた通気部とを備えていることを特徴とする。
【０００８】
ここで、前記ケーシングの内部に設けられた吸水性を有するフィルターと、前記ケーシングの内部に設けられた給水タンクとを備えているとよい。
【０００９】
また、前記給気部に、ガラリが設けられているとよい。
【００１０】
さらに、前記通気部の近傍位置に、給気用のファンが設けられているとよい。
【００１１】
また、前記ケーシングの内部における前記給気部の近傍位置に、給気用のファンが設けられているとよい。
【００１２】
さらに、前記ケーシングの上面に、前記給水タンクを出し入れ可能とする蓋が設けられているとよい。
【００１３】
本発明の加湿システムは、上記したいずれかの加湿器を備えていることを特徴とする。
【００１４】
本発明の床下暖房システムは、建物の最下階の床下空間に設置された床下暖房装置と、上記した加湿システムを備えていることを特徴とする。
【００１５】
ここで、前記建物の屋内空間から前記床下空間へ暖気を排気する排気部を有するとよい。
【００１６】
また、前記床下空間は、床と底盤コンクリートと側壁コンクリートとに囲まれているとともに、前記側壁コンクリートには断熱材が取り付けられているとよい。
【００１７】
本発明の建物は、上記したいずれかの床下暖房システムを備えていることを特徴とする。
【発明の効果】
【００１８】
このような本発明の加湿器は、建物の床下空間に設置される加湿器であって、建物の床下に床と接して設けられるケーシングと、ケーシングの上面に設けられた給気部と、ケーシングに設けられた通気部とを備えた構成とされている。
【００１９】
こうした構成なので、屋内に設ける必要がないため、屋内空間を占用せず、日本の乾燥した冬期の暖房時における加湿手段としても能力が十分である。
【００２０】
ここで、ケーシングの内部に設けられた吸水性を有するフィルターと、ケーシングの内部に設けられた給水タンクとを備えている場合は、簡易な構成であり、経済的に実施できる。
【００２１】
また、給気部に、ガラリが設けられている場合は、屋内空間側から加湿器中へ物を落下させてしまうなどのおそれがなく、大きな給気部とすることができ、加湿能力を高めることができる。
【００２２】
さらに、通気部の近傍位置に、給気用のファンが設けられている場合は、湿気を含んだ空気が給気部から送り出されることを促進でき、加湿能力を高めることができる。
【００２３】
また、ケーシングの内部における給気部の近傍位置に、給気用のファンが設けられている場合も、湿気を含んだ空気が給気部から送り出されることを促進でき、加湿能力を高めることができる。
【００２４】
さらに、ケーシングの上面に、給水タンクを出し入れ可能とする蓋が設けられている場合は、建物の床に位置する蓋を開閉し、給水タンクを出し入れするだけで、簡単に給水が行える。
【００２５】
本発明の加湿システムは、上記したいずれかの加湿器を備えた構成とされているので、上記した加湿器の効果を奏する加湿を行える。
【００２６】
本発明の床下暖房システムは、建物の最下階の床下空間に設置された床下暖房装置と、上記した加湿システムを備えた構成とされているので、上記した加湿システムの効果を奏する床暖房を行える。
【００２７】
ここで、建物の屋内空間から床下空間へ暖気を排気する排気部を有する場合は、床下空間から屋内空間内へ給気した暖気を再び排気部から床下空間内へ循環させるため、熱損失が少なくて済み、経済的に稼動できる。
【００２８】
また、床下空間が、床と底盤コンクリートと側壁コンクリートとに囲まれているとともに、側壁コンクリートには断熱材が取り付けられている場合は、床下空間を断熱構造とするため、床下空間内の暖気の熱を屋外に極力漏らすことなく、より熱損失が少なくて済み、さらに経済的に稼動できる。
【００２９】
本発明の建物は、上記したいずれかの床下暖房システムを備えた構成とされているので、上記した床下暖房システムの効果を奏する建物を構築できる。
【発明を実施するための最良の形態】
【００３０】
以下、本発明の最良の実施の形態について図面に基づいて説明する。
【００３１】
図１は、本実施の形態の床下暖房システムを備えた建物１の概略構成を示している。
【００３２】
まず、このような建物１は、基礎断熱として構築された底盤コンクリート１ｂと、その側縁に立設された側壁コンクリート１ｃと、さらにその上に立設された外壁部１ｄと、その外壁部１ｄの上端開口を塞ぐ天井部１ｅとから主に構成されている。
【００３３】
そして、この天井部１ｅと外壁部１ｄとに囲まれる空間は、床としての床部１ａによって床下空間２と居室などの屋内空間３とが区切られている。この床部１ａは、暖房時の床暖房効果を考慮して、床下空間２と屋内空間３との間の熱の伝達をある程度許容し、断熱材が貼り付けられていない構成となっている。
【００３４】
また、側壁コンクリート１ｃの床下空間２側には、グラスウールなどの断熱材４が貼り付けられており、床下空間２内の暖気の熱が屋外に極力漏れない断熱構造となっている。
【００３５】
そして、本実施の形態の床下暖房システムは、床下空間２に設置された床下暖房装置６と、床部１ａに吊り下げられた状態に設置された給気部としての給気口８を有する加湿器５と、床部１ａに設けられたガラリ１４を有する排気部としての排気口９とから主に構成されている。
【００３６】
本実施の形態の床下暖房システムは、屋内空間３に設けられたコントローラＣにより、床下暖房装置６のオン・オフの切り替えや温度設定が行われる。
【００３７】
ここで、この加湿器５は、図２に示したように、ケーシング７と、ケーシング７の上面に設けられた給気部としての給気口８と、ケーシング７に設けられた通気部としてのスリット１０，・・・と、ケーシング７の内部に設けられたフィルター１１，１１と、ケーシング７の内部に設けられた給水タンク１２とから主に構成されている。
【００３８】
このケーシング７は、係止部７ａで床部１ａに吊り下げられた状態に設けられている。
【００３９】
また、給気口８は、ケーシング７の係止部７ａが外周縁となるように形成されており、ガラリ１３が設けられている。
【００４０】
さらに、通気部としてのスリット１０，・・・は、ケーシング７の左右側面に設けられている。
【００４１】
また、２枚のフィルター１１，１１は、吸水性及び通気性を有する不織布から成り、その下部がケーシング７の底に溜められた水Ｗ１に浸かるように、ケーシング７の前後の内側面間に設けられている。
【００４２】
さらに、給水タンク１２は、その下部に設けられた挿入部１２ａが、ケーシング７の内部に設けられた嵌め込み部１２ｂに嵌め込まれて支持されている。
【００４３】
また、給水タンク１２の挿入部１２ａと嵌め込み部１２ｂとは、嵌め込まれた際に、給水タンク１２の内部の水Ｗ２がケーシング７の底に溜められた水Ｗ１へ補給されるとともに、図示を省略した逆流を防止する逆流防止弁機構が設けられている。
【００４４】
さらに、給水タンク１２の上方には、ケーシング７に、床部１ａと上面位置が一致する蓋１７が設けられており、給水タンク１２が出し入れ可能とされている。
【００４５】
次に、本実施の形態の作用効果について説明する。
【００４６】
このような本実施の形態の加湿器は、建物１の床下空間２に設置される加湿器５であって、建物１の床としての床部１ａに吊り下げられるケーシング７と、ケーシング７の上面に設けられた給気部としての給気口８と、ケーシング７に設けられた通気部としてのスリット１０，・・・とを備えた構成とされている。
【００４７】
こうした構成なので、屋内に設ける必要がないため、屋内空間３を占用せず、日本の乾燥した冬期の暖房時における加湿手段としても能力が十分である。
【００４８】
ここで、ケーシング７の内部に設けられた吸水性を有するフィルター１１，１１と、ケーシング７の内部に設けられた給水タンク１２とを備えているので、簡易な構成であり、経済的に実施できる。
【００４９】
また、給気口８に、ガラリ１３が設けられているので、屋内空間３側から加湿器５中へ物を落下させてしまうなどのおそれがなく、大きな給気口８とすることができ、加湿能力を高めることができる。
【００５０】
さらに、ケーシング７の上面に、給水タンク１２を出し入れ可能とする蓋１７が設けられているので、建物の床部１ａに位置する蓋１７を開閉し、給水タンク１２を出し入れするだけで、簡単に給水が行える。
【００５１】
本実施の形態の床下暖房システムは、建物１の最下階の床下空間２に設置された床下暖房装置６と、本実施の形態の加湿器５とを備えた構成とされているので、本実施の形態の加湿器５の作用効果を奏する床暖房を行える。
【００５２】
ここで、建物１の屋内空間３から床下空間２へ暖気を排気する排気部としての排気口９を有するので、床下空間２から屋内空間３内へ給気した暖気を再び排気口９から床下空間２内へ循環させるため、熱損失が少なくて済み、経済的に稼動できる。
【００５３】
また、床下空間２が、床としての床部１ａと底盤コンクリート１ｂと側壁コンクリート１ｃとに囲まれているとともに、側壁コンクリート１ｃには断熱材４が取り付けられているので、床下空間２を断熱構造とするため、床下空間２内の暖気の熱を屋外に極力漏らすことなく、より熱損失が少なくて済み、さらに経済的に稼動できる。
【００５４】
本実施の形態の建物１は、本実施の形態の床下暖房システムを備えた構成とされているので、本実施の形態の床下暖房システムの作用効果を奏する建物１を構築できる。
【実施例１】
【００５５】
以下、前記した実施の形態の実施例１について、図３に基づいて説明する。なお、前記実施の形態で説明した内容と同一乃至均等な部分の説明については同一符号を付して説明する。
【００５６】
図３は、実施例１の加湿器５１の概略構成を示している。
【００５７】
この実施例１の加湿器５１では、通気部としてのスリット１０，・・・の近傍位置に、給気用のファン１５，１５が設けられていることが、図２に示した実施の形態の加湿器５と異なる。
【００５８】
また、給気用のファン１５，１５の駆動装置（図示せず）が、図１に示したコントローラＣと配線（図示せず）により接続されており、コントローラＣにより、給気用のファン１５，１５の回転速度が調節される。
【００５９】
すなわち、このような構成なので、湿気を含んだ空気が給気口８から送り出されることを促進でき、加湿能力を高めることができる。
【００６０】
また、コントローラＣにより、給気用のファン１５，１５の回転速度を調節して、加湿器５１の出力設定が行える。
【００６１】
なお、他の構成及び作用効果については、前記実施の形態と略同様であるので説明を省略する。
【実施例２】
【００６２】
以下、前記した実施の形態の実施例２について、図４に基づいて説明する。なお、前記実施の形態で説明した内容と同一乃至均等な部分の説明については同一符号を付して説明する。
【００６３】
図４は、実施例２の加湿器５２の概略構成を示している。
【００６４】
この実施例２の加湿器５２では、ケーシング７の内部における給気口８の近傍位置に、給気用のファン１６が設けられていることが、図２に示した実施の形態の加湿器５と異なる。
【００６５】
また、給気用のファン１６の駆動装置（図示せず）が、図１に示したコントローラＣと配線（図示せず）により接続されており、コントローラＣにより、給気用のファン１６の回転速度が調節される。
【００６６】
すなわち、このような構成なので、実施例１の加湿器５１と同様に、湿気を含んだ空気が給気口８から送り出されることを促進でき、加湿能力を高めることができる。
【００６７】
また、コントローラＣにより、給気用のファン１６の回転速度を調節して、加湿器５２の出力設定が行える。
【００６８】
なお、他の構成及び作用効果については、前記実施の形態と略同様であるので説明を省略する。
【００６９】
以上、図面を参照して、本発明の最良の実施の形態及び実施例を詳述してきたが、具体的な構成は、この実施の形態及び実施例に限らず、本発明の要旨を逸脱しない程度の設計的変更は、本発明に含まれる。
【００７０】
例えば、前記実施の形態及び実施例では、説明を簡単に行えるように、建物１内に加湿器５，５１，５２を１台しか設けなかったが、これに限定されず、複数台設けて実施してもよい。
【００７１】
また、前記実施の形態及び実施例では、床下暖房システムとして、加湿器５，５１，５２を床下暖房装置６とともに使用して実施したが、これに限定されない。
【００７２】
すなわち、加湿器５，５１，５２は、それぞれ単独で使用した加湿システムとして実施してもよい。
【００７３】
さらに、前記実施の形態及び実施例では、加湿器５，５１，５２は、ケーシング７を、床部１ａに吊り下げた状態に設けたが、これに限定されない。
【００７４】
すなわち、ケーシング７の底部を床下空間２の底面（底盤コンクリート１ｂの上面）に載置する形態で実施してもよい。
【００７５】
要するに、ケーシング７は、建物１の床下に床部１ａと接して設けられていればよい。
【図面の簡単な説明】
【００７６】
【図１】本発明の最良の実施の形態の床下暖房システムを備えた建物の概略構成を示す説明図である。
【図２】本実施の形態の加湿器の概略構成を示した説明図である。
【図３】実施例１の加湿器の概略構成を示した説明図である。
【図４】実施例２の加湿器の概略構成を示した説明図である。
【符号の説明】
【００７７】
１      建物
１ａ    床部（床）
１ｂ    底盤コンクリート
１ｃ    側壁コンクリート
１ｄ    外壁部
１ｅ    天井部
２      床下空間
３      屋内空間
４      断熱材
５      加湿器
５１    加湿器
５２    加湿器
６      床下暖房装置
７      ケーシング
８      給気口（給気部）
９      排気口（排気部）
１０    スリット（通気部）
１１    フィルター
１２    給水タンク
１３    ガラリ
１４    ガラリ
１５    給気用のファン
１６    給気用のファン
１７    蓋
【図１】
2009264700.tif 000003
【図２】
2009264700.tif 000004
【図３】
2009264700.tif 000005
【図４】
2009264700.tif 000006